(57)【特許請求の範囲】
【請求項１】
撮像信号を取得する撮像手段と、前記撮像手段で取得した撮像信号から追尾目標を検出する追尾目標検出手段と、を備え、前記追尾目標を追尾する追尾撮像装置において、
前記追尾撮像装置をパン方向に旋回する粗動部と、
前記撮像手段に光束を導く光学系の一部で構成されパン方向に回転する微動部と、
前記追尾目標と前記追尾撮像装置の撮像方向とのずれ量が小さくなるように、前記粗動部及び前記微動部の駆動を制御するための制御指令値を演算する制御指令値演算手段と、
前記微動部の回転の中心位置である微動回転中心位置、前記粗動部の回転の中心位置である粗動回転中心位置、及び前記光学系の主点位置または入射瞳位置に基づいて、前記追尾撮像装置の撮像方向を決定する撮像方向演算手段とを設けたことを特徴とする追尾撮像装置。
【請求項２】
前記制御指令値演算手段は、前記追尾目標と前記撮像方向とのずれ量の一階微分演算を行う微分演算手段を含み、
前記微分演算手段の演算結果に基づいて前記微動部の微動と前記粗動部の粗動を制御する粗動微動制御手段を有することを特徴とする請求項１に記載の追尾撮像装置。
【請求項３】
撮像信号を取得する撮像手段を備える追尾撮像装置の追尾制御方法であって、
前記撮像手段により撮像信号を取得する撮像工程と、
前記撮像工程で取得した撮像信号から追尾目標を検出する追尾目標検出工程と、
前記追尾撮像装置の撮像方向と追尾目標とのずれ量が小さくなるように、前記追尾撮像装置をパン方向に旋回する粗動部及び前記撮像手段に光束を導く光学系の一部で構成されパン方向に回転する微動部の駆動を制御するための制御指令値を演算する制御指令値工程と、
前記微動部の回転の中心位置である微動回転中心位置、前記粗動部の回転の中心位置である粗動回転中心位置、及び前記光学系の主点位置または入射瞳位置に基づいて、前記追尾撮像装置の撮像方向を決定する撮像方向演算工程とを有することを特徴とする追尾撮像装置の追尾制御方法。
【請求項４】
撮像信号を取得する撮像手段を備える追尾撮像装置の追尾制御方法を実行するための、コンピュータで読み取り可能な制御プログラムであって、
前記撮像手段により撮像信号を取得する撮像ステップと、
前記撮像ステップで取得した撮像信号から追尾目標を検出する追尾目標検出ステップと、
前記追尾撮像装置の撮像方向と追尾目標とのずれ量が小さくなるように、前記追尾撮像装置をパン方向に旋回する粗動部及び前記撮像手段に光束を導く光学系の一部で構成されパン方向に回転する微動部の駆動を制御するための制御指令値を演算する制御指令値演算ステップと、
前記微動部の回転の中心位置である微動回転中心位置、前記粗動部の回転の中心位置である粗動回転中心位置、及び前記光学系の主点位置または入射瞳位置に基づいて、前記追尾撮像装置の撮像方向を決定する撮像方向演算ステップとを有することを特徴とする制御プログラム。
【発明の詳細な説明】
【技術分野】
【０００１】
本発明は、撮像方向を変化させて追尾目標を追尾する追尾撮像装置及びその追尾制御方法、並びに前記追尾制御方法を実行するための制御プログラムに関する。
【背景技術】
【０００２】
従来より、撮像装置を用い、注目する被写体を検出して該被写体像の位置が例えば画面の中央にくるように撮像方向の追尾制御を行う追尾撮像装置が種々提案されている。
【０００３】
このような追尾撮像装置では、一般的に、追尾目標である被写体の位置と撮像方向とのずれ量が少なくなるように、パン（水平）駆動及びチルト（垂直）駆動の機構を制御している。この制御について図１９を参照して説明する。
【０００４】
図１９は、従来の追尾撮像装置における一般的なパン及びチルト制御処理を示すフローチャートである（以下、従来例１とする）。
【０００５】
まずシステムへの電源オンや使用者の指令等により処理が開始され（ステップＳ９０１）、続いて、パンやチルト機構を例えば旋回中心に移動させる等の初期化が行われる（ステップＳ９０２）。その後、注目する被写体の特徴から追尾目標を検出し（ステップＳ９０３）、検出した追尾目標の位置と撮像方向との偏差、即ちパンとチルト方向の偏差を算出する。さらにその偏差に応じた制御信号を算出し（ステップＳ９０４）、その制御信号によりパン及びチルト機構を駆動する（ステップＳ９０５）。そして、前記ステップＳ９０３からステップＳ９０５の処理を繰り返すことにより、被写体の追尾撮像が可能となる。
【０００６】
また、撮像レンズのズーム比（画角の変化）に応じてサーボ係数を変える追尾装置が開示されている（例えば特許文献１を参照、以下、従来例２とする）。画面中心に対する追尾目標の被写体のずれとモータ制御量との関係がズーム比に関係なく一定であると、ズーム倍率が高い場合に被写体の動きに対する反応が過敏になり制御が不安定なる。逆に、ズーム倍率が低い場合に動作が緩慢になり、被写体が画面の中央部に寄りずらく、被写体を画面外に逃がしやすい。この従来例２の追尾装置は、ズーム倍率に応じた適切なサーボ系のパラメータで追尾制御を行うようにしたものである。
【０００７】
また、動く被写体の撮像倍率を変えながら追尾して撮像する追尾撮像装置が提案されている（例えば特許文献２、以下、従来例３とする）。この追尾撮像装置では、チルト回転部及びパン回転部が粗動回転部と微動回転部からそれぞれ構成されている。広角撮像の際には粗動回転部を動作させ、拡大撮像の際には微動回転部を動作させる。微動回転部は、積層型圧電素子を用い、モータの回転による振動を発生させることなく撮像方向を微調整することができる。また、積層型圧電素子で直接駆動方式であるため、高速駆動も可能となる。
【特許文献１】特許第３６１０６０４号公報
【特許文献２】特開平１１−１２２５２６号公報
【発明の開示】
【発明が解決しようとする課題】
【０００８】
しかしながら、上記従来例１と従来例２では、パン制御時には、レンズ、鏡筒（レンズ保持部材やオートフォーカス駆動部、ズーム駆動部等）、撮像センサ、及びチルト機構を含む撮像系（パン撮像系と呼ぶ）の全体を回転制御する。一方、チルト制御時には、レンズ、鏡筒、撮像センサ、及びパン機構を含む撮像系（チルト撮像系と呼ぶ）の全体を回転制御する。
【０００９】
このため、その回転速度は、パン撮像系或いはチルト撮像系とその駆動機構の慣性モーメントと、駆動アクチュエータとのバランスによって左右される。即ち、パン或いはチルト駆動を高速化するためには、パン撮像系或いはチルト撮像系とその駆動機構の慣性モーメントを小さくする必要がある。慣性モーメントを小さくには部材の重量を減らすために部品の肉厚を薄くするので装置の剛性が劣化する。装置の剛性が劣化すると装置の固有振動数が低周波数になり、結果として制御系の応答性が悪化する。
【００１０】
このように、パン或いはチルト駆動の高速化により高速な追尾制御を実現するためには、上記従来例１と従来例２では装置剛性を犠牲にすることが多く、設計が難しくなる、という問題があった。
【００１１】
また、上記従来例３では、微動と粗動により安定で高速な微調整が可能であるが、積層型圧電素子を用いる構造のために、かなり限定された狭い範囲の微調整となってしまうという問題がある。
【００１２】
本発明は上記従来の問題点に鑑み、装置の剛性を犠牲にすることなく高速且つ高精度なパン駆動及びチルト駆動が可能になる追尾撮像装置及びその追尾制御方法、並びに制御プログラムを提供することを目的とする。
【課題を解決するための手段】
【００１３】
上記目的を達成するため、本発明の追尾撮像装置は、撮像信号を取得する撮像手段と、前記撮像手段で取得した撮像信号から追尾目標を検出する追尾目標検出手段と、を備え、前記追尾目標を追尾する追尾撮像装置において、前記追尾撮像装置をパン方向に旋回する粗動部と、前記撮像手段に光束を導く光学系の一部で構成されパン方向に回転する微動部と、前記追尾目標と前記追尾撮像装置の撮像方向とのずれ量が小さくなるように、前記粗動部及び前記微動部の駆動を制御するための制御指令値を演算する制御指令値演算手段と、前記微動部の回転の中心位置である微動回転中心位置、前記粗動部の回転の中心位置である粗動回転中心位置、及び前記光学系の主点位置または入射瞳位置に基づいて、前記追尾撮像装置の撮像方向を決定する撮像方向演算手段とを設けたことを特徴とする。
また、本発明の追尾撮像装置の追尾制御方法は、撮像信号を取得する撮像手段を備える追尾撮像装置の追尾制御方法であって、前記撮像手段により撮像信号を取得する撮像工程と、前記撮像工程で取得した撮像信号から追尾目標を検出する追尾目標検出工程と、前記追尾撮像装置の撮像方向と追尾目標とのずれ量が小さくなるように、前記追尾撮像装置をパン方向に旋回する粗動部及び前記撮像手段に光束を導く光学系の一部で構成されパン方向に回転する微動部の駆動を制御するための制御指令値を演算する制御指令値工程と、前記微動部の回転の中心位置である微動回転中心位置、前記粗動部の回転の中心位置である粗動回転中心位置、及び前記光学系の主点位置または入射瞳位置に基づいて、前記追尾撮像装置の撮像方向を決定する撮像方向演算工程とを有することを特徴とする。
また、本発明の制御プログラムは、撮像信号を取得する撮像手段を備える追尾撮像装置の追尾制御方法を実行するための、コンピュータで読み取り可能な制御プログラムであって、前記撮像手段により撮像信号を取得する撮像ステップと、前記撮像ステップで取得した撮像信号から追尾目標を検出する追尾目標検出ステップと、前記追尾撮像装置の撮像方向と追尾目標とのずれ量が小さくなるように、前記追尾撮像装置をパン方向に旋回する粗動部及び前記撮像手段に光束を導く光学系の一部で構成されパン方向に回転する微動部の駆動を制御するための制御指令値を演算する制御指令値演算ステップと、前記微動部の回転の中心位置である微動回転中心位置、前記粗動部の回転の中心位置である粗動回転中心位置、及び前記光学系の主点位置または入射瞳位置に基づいて、前記追尾撮像装置の撮像方向を決定する撮像方向演算ステップとを有することを特徴とする。
【発明の効果】
【００１６】
本発明によれば、装置の剛性を犠牲にすることなくパン駆動及びチルト駆動の高速化が可能になり、装置の設計も容易になる。また、微動機構により、撮像方向の分解能や精度向上が容易になる。これにより、微動と粗動を備えた高速且つ高精度な追尾撮像装置を実現することが可能になる。
【発明を実施するための最良の形態】
【００１７】
本発明の追尾撮像装置及びその追尾制御方法、並びに制御プログラムの実施の形態について、図面を参照しながら説明する。
【００１８】
［第１の実施の形態］
＜追尾撮像装置の構成＞
（Ａ）追尾撮像装置の全体的な構成
図１は、本発明の第１の実施の形態に係る追尾撮像装置の全体的な構成を示すブロック図である。
【００１９】
この追尾撮像装置は、制御量算出部１０１、パン駆動部１０４、チルト駆動部１０７、撮像部１１０、及び追尾目標検出部１１１を備えている。
【００２０】
制御量算出部１０１は、撮像方向の制御を行うための演算部であり、主に撮像方向演算部１０２と制御指令値演算部１０３から構成されている。撮像方向演算部１０２は、本実施の形態の特徴を成す微動部１０６,１０９、粗動部１０５,１０８及び光学系の仕様と、微動回転角度と、粗動回転角度とから、主点位置または入射瞳位置や撮像方向を演算する。また、制御指令値演算部１０３は、追尾目標と撮像方向との差が小さくなるように制御量が演算される。本実施の形態の追尾制御は、画面の中心に追尾目標が撮像されるようにパン駆動とチルト駆動の制御がなされる。
【００２１】
パン駆動部１０４は、粗動部１０５と微動部１０６から成る。本実施の形態においては、微動部１０６は粗動部１０５よりも高速に動作する。チルト駆動部１０７は粗動部１０８と微動部１０９から成り、パン駆動部１０４と同様に微動部１０９は粗動部１０８よりも高速に動作する。
【００２２】
撮像部１１０は、撮像素子やレンズ等を備えた撮像モジュールを備え、該撮像モジュールを通して撮像した画像を追尾目標検出部１１１へ供給すると共に、撮像部１１０の状態信号を制御量算出部１０１へ送る。追尾目標検出部１１１は、撮像部１１０で撮像した画像の所定の特徴に基づいて追尾目標を探し出し、その位置を検出する。
【００２３】
（Ｂ）パン駆動部１０４とチルト駆動部１０７の機構
図２は、図１中のパン駆動部１０４とチルト駆動部１０７の機構を示す斜視図である。
【００２４】
図中の１５０は、パン駆動部１０４及びチルト駆動部１０７の微動機構（以下、パン・チルト微動機構と記す）であり、図１の微動部１０６，１０９に相当する。１５１はパン駆動部１０４の粗動機構（以下、パン粗動機構と記す）であり、図１の粗動部１０５に相当する。１５２はチルト駆動部１０７の粗動機構（以下、チルト粗動機構と記す）であり、図１の粗動部１０８に相当する。１５３はパン駆動部１０４の粗動回転軸（以下、パン粗動軸と記す）、１５４はチルト駆動部１０７の粗動回転軸である。
【００２５】
この図２に示したパン／チルト駆動部の機構によれば、パン駆動部１０４の粗動及び微動と、チルト駆動部１０７の微動及び粗動とを独立に回転制御することが可能である。そして、チルト粗動機構１５２上にパン粗動機構１５１とパン・チルト微動機構１５０が搭載され、パン粗動機構１５１上にパン・チルト微動機構１５０が搭載されている。また、パン粗動軸１５３とパン微動軸（後述の図３の１６５）は一致していない。
【００２６】
図３は、図２中のパン・チルト微動機構１５０の主要機構を示す斜視図である。
【００２７】
図中の１２１は回転ミラーであり、１６２はパン方向に回転駆動する微動アクチュエータである。１６３は回転ミラー１２１と微動アクチュエータ１６２を保持するアングル部材であり、１６４はアングル部材１６３をチルト方向に微動回転させる微動アクチュエータである。１６５はパン方向の微動回転中心である回転軸、１６６はチルト方向の微動回転中心である回転軸である。このように微動アクチュエータ１６２、１６４により任意の角度に回転ミラー１２１を回転させることが可能である。
【００２８】
図４（ａ），（ｂ）は、図２中のチルト粗動機構１５２を示す機構図であり、同図（ａ）は、その正面図、同図（ｂ）は側面図である。
【００２９】
図中の１７０は、パン・チルト微動機構１５０とパン粗動機構１５１を搭載したチルト可動フレームであり、内部にあるパン・チルト微動機構１５０とパン粗動機構１５１は省略してある。１７１はチルト粗動機構１５２の動力源であるモータであり、１７２〜１７５はモータ１７１の回転速度を調整又は動力伝達を行うための歯車である。なお、歯車の変わりにベルトなどを用いても良い。モータ１７１は直流モータやステッピングモータ、超音波モータ等、チルト角度の位置決め制御が可能であれば何れの方式でも良く、適当な減速比を選択する。また、歯車を設けずに直接駆動するダイレクトドライブ方式でも良い。パン粗動機構１５１も、パン粗動フレームをチルト粗動機構１５２と同様な方式で駆動することができ、ここでは説明を割愛する。
【００３０】
（Ｃ）微動と粗動の光学的及び幾何学的な関係
撮像方向を決める制御はパン（水平）とチルト（垂直）の２軸で行われるが、パンとチルトの制御は互いに直交しているだけで制御方法は同様であるので、パンのみ制御を説明し、チルトの制御の説明は割愛する。
【００３１】
図５（ａ），（ｂ）は、第１の実施の形態に係るパン駆動部の光学的・幾何学的な関係を示す模式図であり、仮想レンズ（薄肉レンズ）で示してある。同図（ａ）は光学模式図であり、同図（ｂ）は同図（ａ）の回転ミラー１２１を排除した光学系等価図である。
【００３２】
パン駆動部１０４の微動は回転ミラー１２１によって行われる。図５（ａ）において、１２２は回転ミラー１２１の回転中心、即ち微動回転中心である。１２３はＣＣＤやＣＭＯＳ等の撮像素子１２５に被写体を結像させるためのレンズであり、１２４はそのレンズ主点を示す。図５のレンズは仮想レンズであるため、後述するようにレンズ主点１２４を元に座標変換等の演算がなされる。
【００３３】
レンズ１２３は単レンズ構成であっても、複数のレンズやミラー等の光学要素で構成される光学系でも良いが、一般的には収差補正等から複数枚のレンズや開口絞りで構成される複数枚のレンズと開口絞りで構成される光学系の場合、物体側から像側へ結像される光線の全ては入射瞳を通過するため、後述する座標変換等の演算には入射瞳の主光線上での点である入射瞳位置を基準に演算を行う。よって、薄肉の仮想レンズとみなせる場合、或いは主点位置近傍に入射瞳位置がある場合は、主点位置を参照して座標変換を行う。また、主点位置の近傍に入射瞳位置が無い場合は、入射瞳位置を参照して座標変換を行う。本発明においては、説明の簡略化のために主点位置を参照した場合についてのみ説明し、入射瞳位置を参照する場合の説明は割愛する。１２６はレンズ主点と焦点を結ぶ主光線を示す。１２７はパン駆動部１２０の回転中心、即ち粗動回転中心である。なお、図５（ａ）は真正面の被写体を撮像している基準状態を示している。
【００３４】
回転ミラー１２１は光線方向を回転ミラー１２１の回転角度の２倍に変換する以外は結像作用に影響を及ぼすことはなく、回転ミラー１２１を除去して、図５（ａ）は図５（ｂ）のように表すことができ、光学上の主点は図５（ｂ）の１３０の位置となる。
【００３５】
次に、微動による主点移動について説明する。
【００３６】
図６（ａ），（ｂ）は、微動時の主点移動を説明する説明図であり、同図（ａ）はその光学模式図、同図（ｂ）は同図（ａ）の回転ミラー１２１を排除した光学系等価図である。
【００３７】
図６（ａ）に示すように、回転ミラー１２１をα／２（不図示）回転させると主光線１２６は２倍のα回転する。図５（ｂ）同様に回転ミラー１２１を除去すれば、図６（ｂ）に示すように光学上の主点１３１が求められる。このように回転ミラー１２１のような微動機構により、所定の撮像方向と主点位置になることが分かる。
【００３８】
この主点位置は、図形の回転や変形に用いる１次変換で求まる。微動回転中心１２２を原点としたローカル座標系UVを考え、図５（ｂ）の主点位置１３０の座標を（ｕ１，ｖ１）、微動回転による座標変換後の図６（ｂ）の主点位置１３１の座標を（ｕ1’，v1’）、座標の回転角をθとすれば、以下の関係となる。
【００３９】
【数１】
0004533284.tif 000002
【００４０】
また、上述したように主光線１２６の角度は図５（ａ）を基準にするとθ=αとなり、回転ミラー１２１の回転による主点移動と主光線１２６の方向が求まる。
【００４１】
次に、粗動による主点移動について説明する。
【００４２】
図７は、粗動時の座標変換を説明する説明図であり、微動によって主点移動と主光線方向が変換された図６（ｂ）の状態を更に粗動で回転させた状態を示している。
【００４３】
粗動の回転角をβ、粗動回転中心１２７をグローバル座標XYの原点とする。粗動しないとき、ローカル座標系UVの原点を（x1，y1）、主点位置１３１の座標を（x2，y2）とおく。また、粗動後のローカル座標UVの原点を(x1’、y1’)、主点位置を（x2’、y2’）とおけば、以下の関係となる。
【００４４】
【数２】
0004533284.tif 000003
【００４５】
粗動と微動による撮像方向γと主点位置の関係は、微動回転量α（回転ミラー１２１はα／２）、粗動回転量β（不図示）の場合、撮像方向γは単純に以下の式となる。
【００４６】
γ＝α＋β        -------式３
また、主点位置は式１と式２より導き出される。
【００４７】
このように撮像方向γに対して無数の微動回転角度αと粗動回転角度βと主点位置が存在する。
【００４８】
（Ｄ）第１の実施の形態に係る制御量演算処理
以下、微動回転角度と粗動回転角度と光学系の主点位置から、撮像方向を演算制御する制御量演算処理について、図８を参照して説明する。
【００４９】
図８は、第１の実施の形態に係る制御量演算処理を示すフローチャートである。
【００５０】
まずステップＳ１０１では、図５（ａ）の基準状態（デフォルト）で、ローカル座標原点と光学上の主点位置１３０を読み込む。一方、ステップＳ１０２では、追尾目標検出部１１１から追尾目標位置（又は角度）を取得する。
【００５１】
そして、ステップＳ１０３では、前記ステップＳ１０１で読み込んだ基準情報と微動と粗動の回転角から、上述の式１と式２と式３により主点位置と主光線方向を求め、撮像方向を演算する。次のステップＳ１０４では、基準の主点位置と駆動制御中の主点位置との差、即ち主点移動量を演算し、この主点移動量が所定値以下で有るか否かを判定する。所定値以下であれば、主点位置のずれ量、即ち主点移動が小さいと判断し、主点移動を無視してステップＳ１０６へ進み、所定位置以上であればステップＳ１０５へ進む。
【００５２】
ステップＳ１０５は、主点移動量が大きい場合であって、主点移動を考慮して追尾目標とのずれ量を再計算する。ステップＳ１０６は、微動と粗動の駆動機構の特性を考慮し、旋回角度の制御を行う微動と粗動の回転制御のステップである。粗動は微動より低い周波数応答特性でずれ量がなくなるように制御され、微動は粗動より高い周波数応答特性で制御される。
【００５３】
ステップＳ１０１からステップＳ１０６を繰り返すことで所望の制御が行われる。但し、ステップＳ１０１を一度のみ行う制御フローにしても良い。
【００５４】
（Ｅ）第１の実施の形態の効果
第１の実施の形態によれば、パン及びチルト駆動部１０４，１０７の微動は回転ミラー１２１（図６（ａ）の１２１参照）によって行われ、回転ミラー１２１のような微動機構により、所定の撮像方向と主点位置に設定することができる。即ち、回転ミラー１２１の回転中心である微動回転中心（図６（ａ），（ｂ）の１２２参照）の位置（微動回転中心位置）と、パン或いはチルト駆動部１０４，１０７の回転中心（図６（ａ），（ｂ）の１２７参照）の位置（粗動回転中心位置）と、レンズ主点の位置（主点位置）とを参照して、主点移動位置（図６（ｂ）の１３１参照）や撮像方向（図６（ｂ）の１２６参照）が求まる。
【００５５】
このように第１の実施の形態におけるパン及びチルト駆動部１０４，１０７の微動機構は、従来の撮像系全体を回転駆動する構成とは違い、撮像系の一部（例えば、回転ミラー１２１）のみを回転駆動するように構成されている。そのため、慣性モーメントが小さくなり、装置の剛性を犠牲にすることなく高速化が可能になり、設計も容易となる。また、微動の分解能を向上させれば、撮像方向の精度も容易に向上できる。これにより、微動と粗動を備えた高速且つ高精度な追尾撮像装置を実現することが可能になる。
【００５６】
［第２実施の形態］
第２実施の形態では、ずれ量の微分演算部を設けた微動と粗動の制御と、制御適応外の例外処理について説明する。
【００５７】
（Ａ）ずれ量の微分演算部を設けた制御量演算処理
図９は、本発明の第２の実施の形態に係る追尾処理を示すフローチャートであり、図８と共通の要素には同一の符号を付し、その説明を省略する。
【００５８】
ステップＳ１０１からステップＳ１０５までの処理は、前述した図８の処理と同様である。前記ステップＳ１０４の判定処理において、主点移動量が所定値以下で有る場合には、ステップＳ２０１へ進む。
【００５９】
ステップＳ２０１では、撮像方向と追尾目標とのずれ量を演算し、続いてステップＳ２０２において、上記ステップ２０１の演算結果を一階微分し、さらにステップＳ２０３では、微分演算の結果が所定値以下であるか否かを判定する。所定値以下であればステップＳ２０４へ進み、所定値以上であればステップＳ２０５へ進む。なお、この所定値は粗動で追尾可能な速度（例えば最大値）に設定される。
【００６０】
ステップＳ２０４では、粗動のみでパンを駆動制御するための粗動駆動演算を行う。このステップＳ２０４は、粗動のみで追尾可能と判断された場合に適用される。ステップＳ２０５では、粗動と微動を併用する粗動・微動駆動演算を行う。そして、ステップＳ２０６において、上記ステップＳ２０４或いはステップＳ２０５の結果から、微動と粗動の各々を駆動する。
【００６１】
このようにずれ量を微分することにより、ずれの変化が高速な場合は粗動と微動を併用し、ずれ量の変化が低速な場合は粗動のみを使用する構成にすることができる。
【００６２】
（Ｂ）例外処理を含めた制御量演算処理
図１０は、制御適応外時の例外処理を含めた追尾処理のフローチャートであり、図９と共通の要素は同一の符号を付し、その説明を省略する。
【００６３】
前記ステップＳ１０２の処理で追尾目標位置（角度）を取得すると、ステップＳ２１１へ進む。ステップＳ２１１では、追尾目標が追尾可能な範囲（追尾可能範囲）であるか否かを判定する。ここに述べる追尾とは、追尾目標を画面中央部に撮像することである。もし、追尾可能範囲の外側近傍にあって撮像可能であるが、パン駆動して画面中央部に撮像することができないような追尾可能範囲以外、又は追尾目標が存在しないため追尾目標を検出することができない場合は、ステップＳ２１２へ進んで例外処理を行う。一方、追尾可能範囲内の場合は、前述したステップＳ１０３及びステップＳ１０４を経てステップＳ２０１へ進む。
【００６４】
ステップＳ２１２では、次のような例外処理を実行する。即ち、（１）追尾目標が検出できない場合は、撮像方向を初期値に戻す。又は、追尾可能範囲から外れて検出できない場合は、所定時間の間、検出が外れた状態を保持する。（２）粗動と微動とも可能な限り追尾目標に向け、その位置を保持する。
【００６５】
前述したステップＳ２０３において、一階微分値が所定値以上の場合はステップＳ２１４へ進む。ステップＳ２１４では、ステップＳ２０２の微分結果やパンの位置等の情報から、微動と粗動の併用による追尾が可能であるか否かを判断する。
【００６６】
ステップＳ２１４で追尾可能と判断すると前述したステップＳ２０５へ進み、追尾不可能と判断するとステップＳ２１５へ進んで例外処理を行う。追尾不可能な場合としては、追尾目標の移動速度が速くて追いつけない場合である。
【００６７】
ステップＳ２１５では、追尾不可能時の例外処理として次のような処理を行う。即ち、（１）最大速度で追尾を実行し追尾目標を見失うと、その状況を保持する。（２）最大速度で追尾を実行し追尾目標を見失っても同じ方向の追尾を継続する。（３）ズームを有するものはズームをワイド側にする。
【００６８】
（Ｃ）第２実施の形態の効果
第２の実施の形態によれば、ずれ量の一階微分、即ち偏差の推移速度によって、粗動と微動の割り振りの決定や、追尾が可能であるかの判断が可能となる。また、例外処理を行うことで制御性の向上が図れる。
【００６９】
［第３の実施の形態］
第１実施の形態では、粗動回転中心と微動回転中心とレンズ主点が異なる構成について述べた。第３実施の形態ではこれらの位置の一部或いは全てが一致する構成について述べる。
【００７０】
＜パン・チルト機構部＞
図１１は、第３の実施の形態に係るパン・チルト機構部の全体を示す斜視図である。
【００７１】
図中の３１１は、パンの粗動回転中心であり、図３のパン微動回転中心１６５に一致する。また、３１２はチルトの粗動回転中心であり、図３のチルト微動回転中心１６６に一致するように構成される。
【００７２】
＜光学的・幾何学的な関係＞
まず、微動回転中心と粗動回転中心を一致させた場合のパン駆動部の光学的・幾何学的な関係について説明する。
【００７３】
図１２（ａ），（ｂ）は、第３の実施の形態に係るパン駆動部の光学的・幾何学的な関係を示す模式図であり、同図（ａ）は、微動回転中心と粗動回転中心を一致させた場合の光学模式図であり、同図（ｂ）は、同図（ａ）の回転ミラー１２１を排除した光学系等価図である。
【００７４】
図１２中の３０１と３０２は微動回転中心と粗動回転中心の一致点であり、図５（ａ）の微動回転中心１２２と粗動回転中心１２７が重なったものである。図１２（ｂ）において、このときの撮像回転角γ5は微動回転角度α5と粗動回転角度β5の和となる。
【００７５】
γ5＝α5＋β5
また、主点位置の初期状態（x5，y5ｙ１）から、γ5回転した主点の位置（x5，y5ｙ２）は以下の式となる。
【００７６】
【数３】
0004533284.tif 000004
【００７７】
このように第１実施の形態で行っていたローカル座標系とグローバル座標系の演算を一つの座標系で行うことができ、演算を簡素にすることができる。
【００７８】
次に、粗動回転中心とレンズ主点を一致させた場合のパン駆動部の光学的・幾何学的な関係について説明する。
【００７９】
図１３（ａ），（ｂ）は、第３の実施の形態に係るパン駆動部の光学的・幾何学的な関係を示す模式図であり、同図（ａ）は、粗動回転中心とレンズ主点を一致させた場合の光学模式図であり、同図（ｂ）は同図（ａ）の回転ミラー１２１を排除した光学系等価図である。
【００８０】
同図中の３２１が粗動回転中心とレンズ主点の一致点である。上記同様に一つの座標系で主点位置の移動演算ができ、演算を簡素化することができる。
【００８１】
次に、微動回転中心とレンズ主点を一致させた場合のパン駆動部の光学的・幾何学的な関係について説明する。
【００８２】
図１４（ａ），（ｂ）は、第４の実施の形態に係るパン駆動部の光学的・幾何学的な関係を示す模式図であり、同図（ａ）は、微動回転中心とレンズ主点を一致させた場合の光学模式図であり、同図（ｂ）は同図（ａ）の回転ミラー１２１を排除した光学系等価図である。
【００８３】
単レンズ構成では、レンズ主点と微動回転中心の回転ミラー１２１は干渉が生じて構成不可能であるが、複数の光学要素を組み合わせる光学系においては構成可能である。図１４中の３３２と３３３で光学系を構成し、この主点位置と微動回転中心の一致点が３３１となる。このような場合も、上記同様に一つの座標系で主点位置の移動演算ができ、演算を簡素化することができる。
【００８４】
次に、微動回転中心と粗動回転中心とレンズ主点を一致させた場合のパン駆動部の光学的・幾何学的な関係について説明する。
【００８５】
図１５（ａ），（ｂ）は、第５の実施の形態に係るパン駆動部の光学的・幾何学的な関係を示す模式図であり、同図（ａ）は、微動回転中心と粗動回転中心とレンズ主点を一致させた場合の光学模式図であり、同図（ｂ）は、同図（ａ）の回転ミラー１２１を排除した光学系等価図である。
【００８６】
主点位置と微動と粗動の回転中心の一致点が、図中の３４１となる。この場合、上述のように主点移動はなく、粗動と微動の回転の和が撮像方向となり、演算をより一層簡素化できる。尚、第１の実施の形態で説明したように、主点位置ではなく入射瞳位置で演算する場合がある。
【００８７】
＜第３の実施の形態の効果＞
上記のように、粗動回転中心と微動回転中心と主点位置を適当に配置することで、撮像方向の演算が簡素化できる。
【００８８】
［第４の実施の形態］
上記各実施の形態の光学系は主点が移動しない光学系の構成について説明したが、第４の実施の形態では、画角や倍率を変える目的でズームレンズを用いる構成について説明する。
【００８９】
図１６（ａ），（ｂ）は、本発明の第４の実施の形態に係る追尾撮像装置のズーム動作による主点位置の変化を説明する説明図であり、同図（ａ）はワイド側を示し、同図（ｂ）はテレ側を示している。
【００９０】
ズームレンズでは、光学系の一部を光軸方向へ移動させることにより、倍率と焦点調節を行っている。倍率を変えると主点位置は変わる。図１６（ａ），（ｂ）において、それぞれ４０１と４０３が主点位置、４０２と４０４が光学系である。ズームレンズはズーム比によって焦点距離が異なり、それによって主点位置も変わってくる。
【００９１】
図１７は、第４の実施の形態に係る追尾処理を示すフローチャートであり、図８と共通の要素には同一の符号を付し、その説明を省略する。
【００９２】
本実施の形態の追尾処理は、ステップＳ４０１のみ第１の実施の形態と異なる。第１の実施の形態では、主点位置が固定されるため、処理の更新毎に主点位置を取得する必要はない。これに対して、第４の実施の形態では、ズームレンズを備えているため、ズーム比に応じて主点位置が異なるので、主点位置を取得する処理（ステップＳ４０１）が必要となり、この情報を後の処理に反映させることで第１の実施の形態と同様の処理が可能となる。
【００９３】
次に、ズームによる主点位置の移動をキャンセルする構成について説明する。
【００９４】
図１８（ａ），（ｂ）は、ズームによる主点位置の移動をキャンセルする構成の説明図である。
【００９５】
図１８（ａ）の例では、図１６（ａ）の光学系の４０１、４０２、１２５をずらして４０１’、４０２’、１２５’の位置へ移動している。図１８（ｂ）の例では、図１６（ｂ）の４０３、４０４、１２５を４０３’、４０４’、１２５’’へずらしている。
【００９６】
このように光学系全体をズーム比に応じてずらすことにより、ズームによる主点位置をキャンセルすることができる。光学系は全体ではなく、撮像素子とレンズの一部等、部分的に動かしても良い。
【００９７】
＜第４の実施の形態の効果＞
第４の実施の形態によれば、ズームレンズのように主点位置が移動する光学系においても、最適な追尾制御と撮像方向の演算の省力化が図れる。また、入射瞳位置のよって演算する装置の場合、ズームによって入射瞳位置が移動する。前述したように、主点位置と同様に演算することができる。
【００９８】
なお、本発明の目的は、実施形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出して実行することによっても達成される。
【００９９】
この場合、記憶媒体から読み出されたプログラムコード自体が前述した実施の形態の機能を実現することになり、そのプログラムコード及び該プログラムコードを記憶した記憶媒体は本発明を構成することになる。
【０１００】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしても良い。
【０１０１】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【０１０２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれる。
【０１０３】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【０１０４】
【図１】第１の実施の形態に係る追尾撮像装置の全体的な構成を示すブロック図である。
【図２】図１中のパン駆動部とチルト駆動部の機構を示す斜視図である。
【図３】図２中のパン・チルト微動機構の主要機構を示す斜視図である。
【図４】図２中のチルト粗動機構１５２を示す機構図である。
【図５】第１の実施の形態に係るパン駆動部の光学的・幾何学的な関係を示す模式図である。
【図６】微動時の主点移動を説明する説明図である。
【図７】粗動時の主点移動を説明する説明図である。
【図８】第１の実施の形態に係る制御量演算処理を示すフローチャートである。
【図９】第２の実施の形態に係る追尾処理を示すフローチャートである。
【図１０】制御適応外時の例外処理を含めた追尾処理のフローチャートである。
【図１１】第３の実施の形態に係るパン・チルト機構部の全体を示す斜視図である。
【図１２】第３の実施の形態に係るパン駆動部の光学的・幾何学的な関係を示す模式図である。
【図１３】第３の実施の形態に係るパン駆動部の光学的・幾何学的な関係を示す模式図である。
【図１４】第４の実施の形態に係るパン駆動部の光学的・幾何学的な関係を示す模式図である。
【図１５】第５の実施の形態に係るパン駆動部の光学的・幾何学的な関係を示す模式図である。
【図１６】第４の実施の形態に係る追尾撮像装置のズーム動作による主点位置の変化を説明する説明図である。
【図１７】第４の実施の形態に係る追尾処理を示すフローチャートである。
【図１８】ズームによる主点位置の移動をキャンセルする構成の説明図である。
【図１９】従来の追尾撮像装置における一般的なパン及びチルト制御処理を示すフローチャートである。
【符号の説明】
【０１０５】
１０１  制御量算出部
１０２  撮像方向演算部
１０３  制御指令値演算部
１０４  パン駆動部
１０５，１０８  粗動部
１０６，１０９  微動部
１０７  チルト駆動部
１１０  撮像部
１１１  追尾目標検出部
【図１】
0004533284.tif 000005
【図２】
0004533284.tif 000006
【図３】
0004533284.tif 000007
【図４】
0004533284.tif 000008
【図５】
0004533284.tif 000009
【図６】
0004533284.tif 000010
【図７】
0004533284.tif 000011
【図８】
0004533284.tif 000012
【図９】
0004533284.tif 000013
【図１０】
0004533284.tif 000014
【図１１】
0004533284.tif 000015
【図１２】
0004533284.tif 000016
【図１３】
0004533284.tif 000017
【図１４】
0004533284.tif 000018
【図１５】
0004533284.tif 000019
【図１６】
0004533284.tif 000020
【図１７】
0004533284.tif 000021
【図１８】
0004533284.tif 000022
【図１９】
0004533284.tif 000023